(57)【要約】      （修正有）【課題】収納部を開け閉めするファスナーを開けた場合に開口部が大きく広がり、物品の出し入れを容易にし、使い勝手を向上させることができるランドセル用ポーチを提供する。【解決手段】ランドセルの側面に装着されるランドセル用ポーチであって、  本体の上部１２先端部が三角形状に形成され、前記本体の表面に設けられ、当該先端部の頂点から下部に向かって開くラインファスナー１４と、前記本体の裏面に設けられ、ランドセルに固定される固定部とを備えた。【選択図】図６
0003222721.tif 000002
【実用新案登録請求の範囲】
【請求項１】
ランドセルの側面に装着されるランドセル用ポーチであって、
本体の上部先端部が三角形状に形成され、
前記本体の表面に設けられ、当該先端部の頂点から下部に向かって開くラインファスナーと、
前記本体の裏面に設けられ、ランドセルに固定される固定部とを備えたことを特徴とするランドセル用ポーチ。
【請求項２】
固定部は、ランドセルのサイドベルトの上から差し込まれてサイドベルトに係止する差し込み部と、
前記差し込み部を本体の裏面に留める面ファスナーとを備えたことを特徴とする請求項１記載のランドセル用ポーチ。
【請求項３】
差し込み部は、前記差し込み部の上端から本体の下端までの長さが、前記ランドセルのサイドベルト上端から前記ランドセル底面までの長さ以下となる位置に設けられていることを特徴とする請求項１又は２記載のランドセル用ポーチ。
【請求項４】
本体の裏面に、先端部を裏面側に折り曲げて固定する面ファスナーを設けたことを特徴とする請求項１乃至３のいずれか記載のランドセル用ポーチ。
【請求項５】
本体が、撥水性の生地で形成されていることを特徴とする請求項１乃至４のいずれか記載のランドセル用ポーチ。
【請求項６】
本体の表面に光を反射する反射材が取り付けられていることを特徴とする請求項１乃至５のいずれか記載のランドセル用ポーチ。
【請求項７】
面ファスナーによって開閉し、ランドセルの下ひもに接続する補助固定ベルトを本体の下端部に備えたことを特徴とする請求項１乃至６のいずれか記載のランドセル用ポーチ。
【考案の詳細な説明】
【技術分野】
【０００１】
本考案は、ランドセルに装着して用いるランドセル用ポーチに係り、特に、細長い形状の小物の収納に適し、出し入れを容易にすることができるランドセル用ポーチに関する。
【背景技術】
【０００２】
［先行技術の説明］
従来、ランドセルに装着して小物を収納するものとしては、収納ポケットが設けられたランドセルカバーや、ランドセルの横に取り付ける小物入れがあった。
［関連技術］
関連する先行技術文献として、実開昭５７−７６５２０号公報「着脱小袋付きランドセル」（特許文献１）、実用新案登録第３０７１８０３号公報「ランドセル、鞄等のポケット装置」（特許文献２）がある。
【０００３】
特許文献１には、ランドセルの側面に着脱可能な小物入れを装着した構成で、小物入れは、正面にラインファスナーが設けられ、上面の蓋を開けてファスナーを開くものが記載されている。
特許文献２には、リコーダーを収納するポケットがランドセルの側面に取り付けられた構成が記載されている。
【先行技術文献】
【特許文献】
【０００４】
【特許文献１】実開昭５７−７６５２０号公報
【特許文献２】実用新案登録第３０７１８０３号公報
【考案の概要】
【考案が解決しようとする課題】
【０００５】
しかしながら、従来の、長尺形状でファスナーで開閉するランドセル用ポーチでは、ファスナーを開けた場合に、開口部があまり大きく開かず、物品の出し入れを容易にする構成とはなっていないという問題点があった。
【０００６】
本考案は、上記実状に鑑みて為されたものであり、収納部を開け閉めするファスナーを開けた場合に開口部が大きく広がり、物品の出し入れを容易にすることができ、更に使い勝手を向上させることができるランドセル用ポーチを提供することを目的とする。
【課題を解決するための手段】
【０００７】
上記従来例の問題点を解決するための本考案は、ランドセルの側面に装着されるランドセル用ポーチであって、本体の上部先端部が三角形状に形成され、本体の表面に設けられ、当該先端部の頂点から下部に向かって開くラインファスナーと、本体の裏面に設けられ、ランドセルに固定される固定部とを備えたことを特徴としている。
【０００８】
また、本考案は、上記ランドセル用ポーチにおいて、固定部は、ランドセルのサイドベルトの上から差し込まれてサイドベルトに係止する差し込み部と、差し込み部を本体の裏面に留める面ファスナーとを備えたことを特徴としている。
【０００９】
また、本考案は、上記ランドセル用ポーチにおいて、差し込み部は、差し込み部の上端から本体の下端までの長さが、ランドセルのサイドベルト上端から前記ランドセル底面までの長さ以下となる位置に設けられていることを特徴としている。
【００１０】
また、本考案は、上記ランドセル用ポーチにおいて、本体の裏面に、先端部を裏面側に折り曲げて固定する面ファスナーを設けたことを特徴としている。
【００１１】
また、本考案は、上記ランドセル用ポーチにおいて、本体が、撥水性の生地で形成されていることを特徴としている。
【００１２】
また、本考案は、上記ランドセル用ポーチにおいて、本体の表面に光を反射する反射材が取り付けられていることを特徴としている。
【００１３】
また、本考案は、上記ランドセル用ポーチにおいて、面ファスナーによって開閉し、ランドセルの下ひもに接続する補助固定ベルトを本体の下端部に備えたことを特徴としている。
【考案の効果】
【００１４】
本考案によれば、ランドセルの側面に装着されるランドセル用ポーチであって、本体の上部先端部が三角形状に形成され、本体の表面に設けられ、当該先端部の頂点から下部に向かって開くラインファスナーと、本体の裏面に設けられ、ランドセルに固定される固定部とを備えたランドセル用ポーチとしているので、ラインファスナーを開けた場合に、上部先端部の三角形状の部分がマチとなって、開口部を大きく広げることができ、容易に物品を出し入れすることができる効果がある。
【００１５】
また、本考案によれば、差し込み部は、差し込み部の上端から本体の下端までの長さが、ランドセルのサイドベルト上端から前記ランドセル底面までの長さ以下となる位置に設けられている上記ランドセル用ポーチにとしているので、ポーチをランドセルに取り付けた場合に、ポーチの下端部がランドセルの底面から下側に突出することが無く、ランドセルを机上等に置いた場合に、ポーチが机に押されて上に飛び出し、外れてしまうのを防ぐことができる効果がある。
【００１６】
また、本考案によれば、面ファスナーによって開閉し、ランドセルの下ひもに接続する補助固定ベルトを本体の下端部に備えた上記ランドセル用ポーチとしているので、ポーチの下側をランドセルに緩く固定でき、子どもが走ったり激しく動いた場合でも、ポーチが大きく揺れて不安定になるのを防ぐことができる効果がある。
【図面の簡単な説明】
【００１７】
【図１】本ポーチの正面説明図である。
【図２】本ポーチの上部先端部を折り曲げた状態の正面説明図である。
【図３】本ポーチの裏面説明図である。
【図４】本ポーチの上部先端部を折り曲げた状態の裏面説明図である。
【図５】本ポーチの側面説明図である。
【図６】本ポーチのラインファスナーを開けた状態を示す説明図である。
【図７】本ポーチのランドセルへの取り付け方を示す説明図である。
【図８】別のポーチの正面説明図である。
【図９】上部先端部を折り曲げた状態の別のポーチの正面説明図である。
【図１０】別のポーチの裏面説明図である。
【図１１】上部先端部を折り曲げた状態の別のポーチの裏面説明図である。
【図１２】別のポーチの側面説明図である。
【図１３】補助固定ベルトの取り付け方を示す説明図である。
【考案を実施するための形態】
【００１８】
本考案の実施の形態について図面を参照しながら説明する。
［実施の形態の概要］
本考案の実施の形態に係るランドセル用ポーチ（本ポーチ）は、物品を収納してランドセルに取り付ける長尺形状のポーチであって、収納部本体の上部先端部が三角形状に形成され、当該先端部の頂点から、本体表面の上部約３分の２に亘って上から下に向けて開くラインファスナーが設けられ、本体裏面にランドセルのサイドベルトに差し込まれる差し込み部と、差し込み部を本体裏面に固定する面ファスナーを備えたものであり、ラインファスナーを開けると、先端部の三角形状がマチになって開口部が大きく開き、物品の出し入れを容易にすることができ、更に、差し込み部をランドセルの本体とサイドベルトとの間に挿入してサイドベルトに係止させて、面ファスナーを閉じることで、ランドセルの側面に容易に取り付け可能とするものである。
【００１９】
［本ポーチの構成：図１〜図５］
本ポーチの構成について、図１〜図５を用いて説明する。図１は、本ポーチの正面説明図であり、図２は、本ポーチの上部先端部を折り曲げた状態の正面説明図である。また、図３は、本ポーチの裏面説明図であり、図４は、本ポーチの上部先端部を折り曲げた状態の裏面説明図である。また、図５は、本ポーチの側面説明図である。
本ポーチは、ランドセル側面のサイドベルトに引っ掛けて（係止して）固定し、取り付けるものである。
【００２０】
［表面：図１，図２］
図１に示すように、本ポーチ１は、リコーダーや３０ｃｍ定規、折り畳み傘等を収納するのに適した長尺形状であり、本体下部１１と、本体上部１２とを備えている。
本ポーチ１の表地は、撥水加工の生地であり、雨や汚れから収納物を保護することができるものである。
【００２１】
本体下部１１は、下端が縫合され、上端が開口した袋状に形成されている。
本体上部１２は、上側の先端部（先端部）１２１が三角形状に形成され、その斜辺部分が表裏で縫い合わされて閉じており、先端部１２１の下側は筒状で、全体として下部が開口した袋状に形成されている。
【００２２】
そして、本体の表面において、先端部１２１の上部の頂点から下に向かって、ラインファスナー１４が設けられている。
ラインファスナー１４は、スライダー１５を備え、スライダー１５を上から下に向かって動かすことで、ラインファスナー１４を開け、スライダー１５を下から上に向かって動かすことで、ラインファスナー１４を閉めるようになっている。ラインファスナー１４の下側の先端部にはストッパー（図示せず）が設けられている。
【００２３】
そして、下部本体１１の開口部（上辺）と、上部本体１２の開口部（下辺）とが縫合されて一体となって、本ポーチの収納部を構成している。
下部本体１１と上部本体１２との接続部分において、本体を横切って一周するように反射テープ１３が取り付けられている。反射テープ１３は、光をよく反射する素材であり、暗いところでも目立ち、交通事故等を防ぐものである。
尚、反射テープは、請求項に記載した反射材であり、表面のみ、又は表面と側面に設けてもよい。
【００２４】
本ポーチ１は、ラインファスナー１４を開けて本体を開口させ、物品を出し入れする。
ここで、本ポーチ１は、先端部１２１の三角形状部分がマチとなるため、ラインファスナー１４を開けた場合に、上部が広く大きく開くようになっている。
これにより、容易に物品を出し入れすることができるものである。
また、ラインファスナー１４を閉じると、収納物が落ちるのを防ぎ、収納部に塵や埃が入るのを防ぐことができるものである。
【００２５】
図２では、本ポーチ１の先端部１２１の三角形部分を裏面側に折り曲げた状態を示している。
図２に示すように、本ポーチ１のラインファスナー１４を閉めて、先端部１２１の三角形部分を裏面側に折り曲げると、長方形状となり、ランドセルの高さから大きく突出せず、すっきり取り付けられるものである。
また、図２に示すように、先端部１２１を折り曲げると、ラインファスナー１４のスライダー１５は裏側に隠れて表側に露出しないため、スライダー１５が何かに引っかかって開いてしまうことがなく、安全である。
【００２６】
［裏面：図３，図４］
図３，４に示すように、本ポーチ１の裏面は、ランドセルに取り付けるための差し込み部２１と、差し込み部２１を本体裏面に固定する面ファスナー２２と、先端部１２１を折り返して固定する面ファスナー２４ａ，２４ｂと、ループ２３とを備えている。
差し込み部２１と、面ファスナー２２とを合わせた構成が請求項に記載した固定部に相当している。
差し込み部２１は、長方形状に形成され、上端部が本体上部１２の裏面に固定されている。
面ファスナー２２は、一方の面が差し込み部２１の裏面に設けられ、他方の面が本体上部１２の裏面に設けられている。
【００２７】
差し込み部２１の下端は開放となっており、面ファスナー２２を開いて、差し込み部２１の開放端をランドセルのサイドベルトの上側から通してサイドベルトに引っ掛け（係止させ）、面ファスナー２２を閉じることにより、本ポーチ１をランドセルの側面に固定する。
【００２８】
面ファスナー２４ａ，２４ｂは、本体裏面の上端付近に設けられており、先端部１２１を本体の裏面側に折り返した際に固定するものである。
ループ２３は、例えば、本ポーチ１を教室の机の横にあるフックに引っ掛けるためのものである。
【００２９】
［側面：図５］
図５に示すように、本ポーチ１はランドセルの側面に取り付けるため、厚みは２センチ程度としており、ランドセルから横に大きく出っ張らない寸法となっている。
長さは、先端部１２１を裏面に折り曲げた場合に、３０cm〜４０cm程度としており、ランドセルから大きく突出しない寸法としている。
【００３０】
［ラインファスナーを開けた状態：図６］
次に、本ポーチ１のラインファスナー１４を開けた状態について図６を用いて説明する。図６は、本ポーチのラインファスナーを開けた状態を示す説明図である。
図６に示すように、本ポーチ１では、ラインファスナー１４を開けた場合に、本体上部１２の先端部１２１の部分がマチとなって、開口部を横に大きく広げることができる。
これにより、本ポーチ１に物品を収納したり、取り出したりする操作がしやすくなるものである。
【００３１】
［本ポーチの取り付け：図７］
図７は、本ポーチのランドセルへの取り付け方を示す説明図である。
図７に示すように、本ポーチ１の裏面側に設けられた差し込み部２１を開いて、端部をランドセル３のサイドベルト３１とランドセル本体との間に上から通して、面ファスナー２２を閉じて固定する。
このようにして、本ポーチ１がランドセル３の側面に取り付けられ、また、逆の手順で容易に取り外せるものである。
【００３２】
［実施の形態の効果］
本ランドセル用ポーチによれば、物品を収納してランドセルに取り付ける長尺形状のポーチであって、収納部の上部先端部１２１が三角形状に形成され、本体の表面において、当該先端部１２１の頂点から下部に向かって開くラインファスナー１４が設けられ、本体の裏面において、ランドセルに固定するための差し込み部２１と面ファスナー２２とが設けられた構成としているので、ラインファスナー１４を開けると、先端部１２１の三角形状がマチになって開口部が大きく開き、物品の出し入れを容易にすることができ、ランドセルのサイドベルトと本体との間に差し込み部２１を差し込んで面ファスナー２２を閉じることで、ランドセルの側面に容易に取り付けることができる効果がある。
【００３３】
［別の実施の形態］
次に、本考案の別の実施の形態に係るランドセル用ポーチ（別のランドセル用ポーチ、別のポーチ）について図８〜図１２を用いて説明する。図８は、別のポーチの正面説明図であり、図９は、上部先端部を折り曲げた状態の別のポーチの正面説明図である。また、図１０は、別のポーチの裏面説明図であり、図１１は、上部先端部を折り曲げた状態の別のポーチの裏面説明図である。また、図１２は、別のポーチの側面説明図である。
尚、上述した本ポーチと同様の構成部分については同一の符号を付しており、説明は省略する。
【００３４】
別のポーチは、基本的な構成は本ポーチと同様であり、本ポーチと同様の効果を備えているものであるが、更に、ランドセルに取り付けた状態で、ポーチ本体がランドセルの底面から下側に突出しないようにすると共に、別のポーチを取り付けたランドセルを背負った子どもが走ったり激しく動いたときに、ポーチが大きく揺れるのを防ぐようにして、使い勝手を向上させるものである。
【００３５】
［差し込み部］
別のポーチの特徴部分について説明する。
別のポーチ２は、図１０，１１，１２に示すように、ランドセルのサイドベルトに係合する差し込み部２５が、本ポーチの差し込み部２１と比較して低い位置に設けられている。
具体的には、差し込み部２５は、上部本体１２の裏面において、差し込み部２５の下端が反射テープ１３のすぐ上に位置するよう、上端が上部本体１２の裏面に固定されている。
【００３６】
差し込み部２５がポーチ本体において上の方に設けられていると、差し込み部より下の部分が長くなり、ランドセルに取り付けた場合に、ポーチ本体の下端部が、ランドセルの底面より下側に突出してしまう。
そのため、ランドセルを机上等に置いた場合に、ポーチ本体が上に押されて突出し、ポーチがランドセルから外れてしまうことがある。
【００３７】
別のポーチ２では、このような不具合を無くすために、差し込み部２５の位置を低くしたものであり、差し込み部２５の上端からポーチ本体の下端までの長さが、ランドセルのサイドベルト上端からランドセル底面までの長さ以下となるように、差し込み部２５の取り付け位置を設定している。
そのため、別のポーチ２をランドセルに取り付けた状態では、ポーチがランドセルより下側に突出しないため、ランドセルを机上に置いたとしても、ポーチが机に押されて外れてしまうのを防ぐことができるものである。
【００３８】
別のポーチ２でも、差し込み部２５の上端部にループ２７が設けられており、別のポーチ２を机の横のフックに掛けることができるものである。
また、別のポーチ２も、差し込み部２５は上端が本体裏面に固定され、下端が開放となっている。
更に、差し込み部２５の裏面（内側面）と、ポーチ本体の裏面に面ファスナー２６が設けられており、ランドセルのサイドベルトに差し込み部２５を差し込んで、面ファスナー２６を閉じることで別のポーチ２をランドセルに固定することができるものである。
【００３９】
［補助固定ベルト］
更に、図８〜図１２に示すように、別のポーチ２では、本体の下端部に、ランドセルの底面近くのひも（下ひも）と係合する補助固定ベルト４１を備えている。下ひもは、ランドセルの上端に取り付けられた肩ひもに接続するひもである。
ランドセルへの取り付け部分が、差し込み部２５の１か所のみだと、走ったり激しく動いた場合にポーチ本体が大きく揺れて不安定になる。
そこで、別のポーチ２では、補助固定ベルト４１によって本体の下側をランドセルの底面近くに係合して、差し込み部２５と補助固定ベルト４１の２か所でランドセルに接続することにより、揺れを防ぐようにしているものである。
【００４０】
補助固定ベルト４１は、例えば、布製の平織りテープで形成され、図１０〜図１２に示すように、２本のベルト（補助固定ベルト４１ａ，４１ｂ）で構成されている。ここで、ポーチ表面側の補助固定ベルト４１ａの方が、ポーチ裏面側の補助固定ベルト４１ｂより長く形成されている。
【００４１】
そして、補助固定ベルト４１ａ，４１ｂは、２本が重なった状態で、上端部がポーチ本体の下端部に取り付けられており、補助固定ベルト４１ａ、４１ｂの開放端側には面ファスナー４２が設けられている。
補助固定ベルト４１ａの面ファスナー４２は、ベルトの表面側（外側）に設けられ、補助固定ベルト４１ｂの面ファスナー４２は、ベルトの裏面側（内側）に設けられている。補助固定ベルト４１ａ，４１ｂは、面ファスナー４２ａ，４２ｂによって開閉する。
【００４２】
そして、別のポーチ２をランドセルに取り付けた状態で、補助固定ベルト４１ａをランドセルの底面部に近い下ひも部分に通し、面ファスナー４２によって補助固定ベルト４１ｂと接続する。これにより、ポーチ本体の下部がランドセルの底面近くに係合されることになり、走ったりした場合でも、ポーチ全体が大きく揺れるのを防ぐことができるものである。
【００４３】
ここで、補助固定ベルト４１ａの方が長いため、補助固定ベルト４１ａは、途中で折り返されて、短い方の補助固定ベルト４１ｂに接続されることになる。
これにより、面ファスナー４２による接続部分が先端に位置せず、力が集中するのを防ぐことができるものである。
【００４４】
［補助固定ベルトの取り付け方：図１３］
次に、別のポーチ２の補助固定ベルト４１のランドセルへの取り付け方について図１３を用いて説明する。図１３は、補助固定ベルトの取り付け方を示す説明図である。
図１３に示すように、別のポーチ２の本体下端部に設けられた補助固定ベルト４１ａ，４１ｂをランドセル底面近くの下ひも３２に通して、面ファスナー４２ａ、４２ｂを閉じて環状にすることで別のポーチ２の下側をランドセルに取り付ける。
【００４５】
面ファスナー４２ａ，４２ｂは、７〜８cmの長さを備えているため、補助固定ベルト４１ａ，４１ｂを閉じる際に、長さを調節することができるものである。
また、補助固定ベルト４１ａの方が補助固定ベルト４１ｂより長く形成されているため、２本のベルトの接続部分が外側に露出せず、外れにくくなっている。
【００４６】
［別の実施の形態の効果］
別のランドセル用ポーチによれば、差し込み部２５の上端からポーチ本体の下端までの長さが、ランドセルのサイドベルト上端からランドセル底面までの長さ以下となるよう、差し込み部２５が本体裏面に設けられているので、別のポーチ２の差し込み部２５をランドセルのサイドベルトに係合して固定した場合に、別のポーチ２の本体下側がランドセルの底面から下に突出しないため、別のポーチ２をランドセルに取り付けたまま机上に置いたとしても、ポーチが机に押されて外れてしまうのを防ぐことができる効果がある。
【００４７】
また、別のポーチ２によれば、本体の下端部に、面ファスナー４２によって開閉する補助固定ベルト４１を設けているので、別のポーチ２の下側をランドセルの底面近くの下ひもに接続でき、ポーチをランドセルに取り付けた状態で子どもが走ったり激しく動いた場合でも、別のポーチ２が大きく揺れて不安定になるのを防ぐことができる効果がある。
【産業上の利用可能性】
【００４８】
本考案は、細長い形状の小物を収納し、出し入れを容易にすることができ、使い勝手を向上させることができるランドセル用ポーチに適している。
【符号の説明】
【００４９】
１，２…ランドセル用ポーチ、  ３…ランドセル、  １１…本体下部、  １２…本体上部、  １２１…先端部、  １３…反射テープ、  １４…ラインファスナー、  １５…スライダー、  ２１，２５…差し込み部、  ２２，２４ａ，２４ｂ，２６，４２，４２ａ，４２ｂ…面ファスナー、  ２３，２７…ループ、  ３１…サイドベルト、  ３２…下ひも、  ４１，４１ａ，４１ｂ…補助固定ベルト、  １２１…先端部
【図１】
0003222721.tif 000003
【図２】
0003222721.tif 000004
【図３】
0003222721.tif 000005
【図４】
0003222721.tif 000006
【図５】
0003222721.tif 000007
【図６】
0003222721.tif 000008
【図７】
0003222721.tif 000009
【図８】
0003222721.tif 000010
【図９】
0003222721.tif 000011
【図１０】
0003222721.tif 000012
【図１１】
0003222721.tif 000013
【図１２】
0003222721.tif 000014
【図１３】
0003222721.tif 000015
【手続補正書】
【提出日】令和1年6月25日(2019.6.25)
【手続補正１】
【補正対象書類名】実用新案登録請求の範囲
【補正対象項目名】全文
【補正方法】変更
【補正の内容】
【実用新案登録請求の範囲】
【請求項１】
ランドセルの側面に装着されるランドセル用ポーチであって、
本体の上部先端部が三角形状に形成され、
前記本体の表面に設けられ、当該先端部の頂点から下部に向かって開くラインファスナーと、
前記本体の裏面に設けられ、ランドセルに固定される固定部とを備えたことを特徴とするランドセル用ポーチ。
【請求項２】
固定部は、ランドセルのサイドベルトの上から差し込まれてサイドベルトに係止する差し込み部と、
前記差し込み部を本体の裏面に留める面ファスナーとを備えたことを特徴とする請求項１記載のランドセル用ポーチ。
【請求項３】
差し込み部は、前記差し込み部の上端から本体の下端までの長さが、前記ランドセルのサイドベルト上端から前記ランドセル底面までの長さ以下となる位置に設けられていることを特徴とする請求項２記載のランドセル用ポーチ。
【請求項４】
本体の裏面に、先端部を裏面側に折り曲げて固定する面ファスナーを設けたことを特徴とする請求項１乃至３のいずれか記載のランドセル用ポーチ。
【請求項５】
本体が、撥水性の生地で形成されていることを特徴とする請求項１乃至４のいずれか記載のランドセル用ポーチ。
【請求項６】
本体の表面に光を反射する反射材が取り付けられていることを特徴とする請求項１乃至５のいずれか記載のランドセル用ポーチ。
【請求項７】
面ファスナーによって開閉し、ランドセルの下ひもに接続する補助固定ベルトを本体の下端部に備えたことを特徴とする請求項１乃至６のいずれか記載のランドセル用ポーチ。